(57)【要約】【課題】着信時に電話装置の表示部に表示させる情報を自動的に変化させることができる通信システム及びその制御方法を提供する。【解決手段】ＩＰ電話装置１０の表示部１０Ｂがサーバ１１のＣＰＵ１１Ａにより制御され、ＲＯＭ１１Ｂに記憶された複数の情報のうちタイマ１１Ｃで計測されたタイミングと発信元の電話番号とに対応した情報がＩＰ電話装置１０の着信時に表示部１０Ｂに表示される。ＩＰ電話装置１０が着信する度にタイミングと発信元の電話番号とに対応した情報が表示部１０Ｂに常に表示されるため、ＩＰ電話装置１０のユーザにとって発信者を特定できるとともに新鮮な気持ちで応答することができる。ＩＰ電話装置１０の表示部１０Ｂで表示される情報がタイミングや発信元の電話番号に応じて自動的に変化するため、ＩＰ電話装置１０のユーザにとって面白味があり、飽きがきてしまうことを防止できる。【選択図】      図２
2006345424.tif 000002
【特許請求の範囲】
【請求項１】
電話装置とサーバとを通信接続した通信システムであって、
前記電話装置は、所定の情報を表示する表示部を有し、
前記サーバは、タイミングに対応した複数の情報と発信元の電話番号とを関連付けて記憶する記憶部と、前記タイミングを計測する計測部と、前記記憶部に記憶された情報のうち前記計測部で計測された前記タイミングと前記発信元の電話番号とに対応した情報を前記電話装置の着信時に前記表示部に表示させる制御部と、を有することを特徴とする通信システム。
【請求項２】
前記表示部で表示される前記情報は、季節によって変化することを特徴とする請求項１に記載の通信システム。
【請求項３】
前記表示部で表示される前記情報は、日時によって変化することを特徴とする請求項１に記載の通信システム。
【請求項４】
電話装置とサーバとを通信接続した通信システムの制御方法であって、
前記電話装置の表示部が前記サーバの制御部により制御され、前記サーバの記憶部に記憶された複数の情報のうち前記サーバの計測部で計測されたタイミングと発信元の電話番号とに対応した情報が前記電話装置の着信時に前記表示部に表示されることを特徴とする通信システムの制御方法。
【請求項５】
前記表示部で表示される前記情報は、季節によって変化することを特徴とする請求項４に記載の通信システムの制御方法。
【請求項６】
前記表示部で表示される前記情報は、日時によって変化することを特徴とする請求項４に記載の通信システムの制御方法。
【発明の詳細な説明】
【技術分野】
【０００１】
本発明は、サーバと電話装置とを通信接続した通信システム及びその制御方法に関する。
【背景技術】
【０００２】
従来の通信システムとして、サーバと複数の電話装置（例えばＩＰ電話装置）などを通信接続したものが知られている。この通信システムによれば、電話装置を外線又は内線として使用するときにはサーバを経由して通信接続されることにより、通話可能となる。
【０００３】
なお、上記従来技術は公用の技術であり、本発明は公用の技術をもとに開発したものである。このため、出願人は、特許出願の時において本発明に関連する文献公知発明の存在を知らず、文献公知発明の名称その他の文献公知発明に関する情報の所在の記載を省略する。
【発明の開示】
【発明が解決しようとする課題】
【０００４】
ところで、各電話装置には所定の情報を表示させる表示部がそれぞれ設けられており、この表示部で表示される情報として発信元の電話番号があるが、着信時に発信先の電話番号を常に表示させることは面白味に欠けるものとなる。また、表示部で表示される情報としてユーザが予め設定した情報が考えられるが、この場合には常に同一の情報が表示部に表示されるため、電話番号を表示させる場合と同様に、面白味に欠け、ユーザがすぐに飽きてしまう問題がある。
【０００５】
そこで、本発明は、上記事情を考慮し、着信時に電話装置の表示部に表示させる情報を自動的に変化させることができる通信システム及びその制御方法を提供することを目的とする。
【課題を解決するための手段】
【０００６】
請求項１に記載の発明は、電話装置とサーバとを通信接続した通信システムであって、前記電話装置は、所定の情報を表示する表示部を有し、前記サーバは、タイミングに対応した複数の情報と発信元の電話番号とを関連付けて記憶する記憶部と、前記タイミングを計測する計測部と、前記記憶部に記憶された情報のうち前記計測部で計測された前記タイミングと前記発信元の電話番号とに対応した情報を前記電話装置の着信時に前記表示部に表示させる制御部と、を有することを特徴とする。
【０００７】
請求項１に記載の発明によれば、電話装置の表示部がサーバの制御部により制御され、サーバの記憶部に記憶された複数の情報のうちサーバの計測部で計測されたタイミングと発信元の電話番号とに対応した情報が電話装置の着信時に表示部に表示される。このように、電話装置が着信する度に、タイミングと発信元の電話番号とに対応した情報が表示部に常に表示されるため、電話装置のユーザにとって発信者を特定できるとともに新鮮な気持ちで応答することができる。また、電話装置の表示部で表示される情報がタイミングや発信元の電話番号に応じて自動的に変化するため、電話装置のユーザにとって面白味があり、飽きがきてしまうことを防止できる。
【０００８】
なお、本明細書において、「タイミング」とは、季節、日時などの時間に関するものを意味する。
【０００９】
請求項２に記載の発明は、請求項１に記載の通信システムであって、前記表示部で表示される前記情報は、季節によって変化することを特徴とする。
【００１０】
請求項２に記載の発明によれば、電話装置の表示部で表示される情報は季節によって変化するため、季節（例えば、春、夏、秋、冬）毎にその季節に合致した情報を表示部に表示させることができる。
【００１１】
請求項３に記載の発明は、請求項１に記載の通信システムにおいて、前記表示部で表示される前記情報は、日時によって変化することを特徴とする。
【００１２】
請求項３に記載の発明によれば、電話装置の表示部で表示される情報は日時によって変化するため、時間（例えば、朝、昼、夕方、夜）毎にその時間に合致した情報を表示部に表示させることができる。
【００１３】
請求項４に記載の発明は、電話装置とサーバとを通信接続した通信システムの制御方法であって、前記電話装置の表示部が前記サーバの制御部により制御され、前記サーバの記憶部に記憶された複数の情報のうち前記サーバの計測部で計測されたタイミングと発信元の電話番号とに対応した情報が前記電話装置の着信時に前記表示部に表示されることを特徴とする。
【００１４】
請求項４に記載の発明によれば、電話装置の表示部がサーバの制御部により制御され、サーバの記憶部に記憶された複数の情報のうちサーバの計測部で計測されたタイミングと発信元の電話番号とに対応した情報が電話装置の着信時に表示部に表示される。このように、電話装置が着信する度に、タイミングと発信元の電話番号とに対応した情報が表示部に常に表示されるため、電話装置のユーザにとって発信者を特定できるとともに新鮮な気持ちで応答することができる。また、電話装置の表示部で表示される情報がタイミングや発信元の電話番号に応じて自動的に変化するため、電話装置のユーザにとって面白味があり、飽きがきてしまうことを防止できる。
【００１５】
請求項５に記載の発明は、請求項４に記載の通信システムの制御方法において、前記表示部で表示される前記情報は、季節によって変化することを特徴とする。
【００１６】
請求項５に記載の発明によれば、電話装置の表示部で表示される情報は季節によって変化するため、季節（例えば、春、夏、秋、冬）毎にその季節に合致した情報を表示部に表示させることができる。
【００１７】
請求項６に記載の発明は、請求項４に記載の通信システムの制御方法において、前記表示部で表示される前記情報は、日時によって変化することを特徴とする。
【００１８】
請求項６に記載の発明によれば、電話装置の表示部で表示される情報は日時によって変化するため、時間（例えば、朝、昼、夕方、夜）毎にその時間に合致した情報を表示部に表示させることができる。
【発明の効果】
【００１９】
本発明によれば、着信時に電話装置の表示部に表示させる情報をタイミングに基づいて自動的に変化させることができる。
【発明を実施するための最良の形態】
【００２０】
次に、本発明の第１実施形態に係る通信システムについて、図面を参照して説明する。
【００２１】
図１に示すように、本実施形態の通信システム１は、ボタン式のＩＰ（Ｉｎｔｅｒｎｅｔ  Ｐｒｏｔｏｃｏｌ、以下、単に「ＩＰ」と略する。）電話装置（電話装置）１０を有している。このＩＰ電話装置１０は複数本の電話回線を有し各電話回線に対応した電話番号を設定することができるものである。また、このＩＰ電話装置１０は、外線設定、すなわちルータ１２及びインターネット網を介して他のＩＰ電話装置１４と通信（通話）することができるようになっており、また公衆回線網を利用した電話装置１３とも通信（通話）することができるようになっている。さらに、このＩＰ電話装置１０は、内線設定、すなわち、所定のグループで共有されたグループ共有回線により他のボタン式のＩＰ電話装置１６、１８とも通信（通話）することができるようになっている。
【００２２】
また、ＩＰ電話装置１０は、所定の数字などを入力する入力部１０Ａと、所定の情報を表示する表示部１０Ｂと、所定の情報などを記憶するメモリ１０Ｃと、メモリ１０Ｃの記憶内容に基づいて所定の判断処理を行う制御回路１０Ｄと、を有している。
【００２３】
また、ＩＰ電話装置１０は、ルータ１２及びインターネット網を介して他のＩＰ電話装置１４と通信する場合や公衆回線網を利用した電話装置１３と通信する場合の他に、所定のグループで共有されたグループ共有回線により他のＩＰ電話装置１６、１８と通信する場合にも、サーバ１１を介して通信状態が実現される。
【００２４】
ここで、サーバ１１は、所定の演算処理及び制御を実行するＣＰＵ（制御部）１１Ａと、所定の情報を記憶するＲＯＭ（記憶部）１１Ｂと、時間（季節）を計測するタイマ（計測部）１１Ｃと、を備えている。このＲＯＭ１１Ｂには、発信元の各電話番号に対応した複数の画像（情報）が予め記憶されている。すなわち、ＲＯＭ１１Ｂには、発信元の第１電話番号に対応した画像Ａが記憶されている。この画像Ａは、季節（春、夏、秋、冬）に対応した４つの画像Ａ１、Ａ２、Ａ３、Ａ４で構成されている。また、ＲＯＭ１１Ｂには、発信元の第２電話番号に対応した画像Ｂが記憶されている。この画像Ｂは、時間（朝、昼、夕方）に対応した３つの画像Ｂ１、Ｂ２、Ｂ３で構成されている。具体的には、画像Ａは、同一人物（例えば、恋人や家族の画像など）における異なる画像Ａ１、Ａ２、Ａ３、Ａ４（例えば、春は恋人のピクニックに行くときの服装姿（Ａ１）、夏は恋人の水着姿（Ａ２）、秋は恋人の運動会をするときの姿（Ａ３）、冬は恋人のスキーをするときの姿（Ａ４））でもよいし、異なる人物（例えば、取引先担当者の画像など）における異なる画像でもよい。また、画像Ｂも同様に、同一人物（例えば、恋人や家族の画像など）における異なる画像Ｂ１、Ｂ２、Ｂ３（例えば、朝は恋人のパジャマ姿（Ｂ１）、昼は恋人の部屋着姿（Ｂ２）、夕方は恋人のエプロン姿（Ｂ３））でもよいし、異なる人物（例えば、取引先担当者の画像など）における異なる画像でもよい。
【００２５】
また、本実施形態では、２つの発信元の電話番号（第１電話番号、第２電話番号）に対応する画像Ａ、Ｂを説明したが、１つの発信元の電話番号に対応する画像のみをＲＯＭ１１Ｂに記憶させてもよいし、３つ以上の発信元の電話番号に対応する３種類の画像をＲＯＭ１１Ｂに記憶させるようにしてもよい。また、サーバ１１のＲＯＭ１１Ｂには、発信元の電話番号に対する画像をＩＰ電話装置１０の入力部１０Ａから記憶設定できるようになっている。
【００２６】
また、サーバ１１のＣＰＵ１１Ａは、ＲＯＭ１１Ｂに記憶された画像のうちタイマ１１Ｃで計測されたタイミングと発信元の電話番号とに対応した画像をＩＰ電話装置１０の表示部１０Ｂに表示させるように制御する。
【００２７】
次に、第１実施形態に係る通信システムの制御方法について説明する。
【００２８】
図１及び図２に示すように、サーバ１１のＣＰＵ１１ＡによりＩＰ電話装置１０の着信の有無が判断される（Ｓ１００）。ＣＰＵ１１ＡによりＩＰ電話装置１０に着信が有ると判断されると、発信元の電話番号が第１電話番号であるか否かがＣＰＵ１１Ａにより判断される（Ｓ１２０）。発信元の電話番号が第１電話番号であるとＣＰＵ１１Ａにより判断されると、タイマ１１Ｃにより計測された時間（季節）が読み取られる（Ｓ１４０）。そして、タイマ１１Ｃにより計測された時間（季節）とＲＯＭ１１Ｂに記憶された画像とから所定の画像（Ａ１、Ａ２、Ａ３、Ａ４のうちの一つ）がＣＰＵ１１Ａにより特定される（Ｓ１６０）。ＣＰＵ１１Ａにより特定された画像がＩＰ電話装置１０の表示部１０Ｂで表示される（Ｓ１８０）。一方、発信元の電話番号が第１電話番号ではないとＣＰＵ１１Ａにより判断されると、発信元の電話番号が第２電話番号であるか否かがＣＰＵ１１Ａにより判断される（Ｓ２００）。発信元の電話番号が第２電話番号であるとＣＰＵ１１Ａにより判断されると、タイマ１１Ｃにより計測された時間（季節）が読み取られる（Ｓ２２０）。そして、タイマ１１Ｃにより計測された時間（季節）とＲＯＭ１１Ｂに記憶された画像とから所定の画像（Ｂ１、Ｂ２、Ｂ３のうちの一つ）がＣＰＵ１１Ａにより特定される（Ｓ２４０）。ＣＰＵ１１Ａにより特定された画像がＩＰ電話装置１０の表示部１０Ｂで表示される（Ｓ２６０）。
【００２９】
ここで、表示部１０Ｂで表示される画像は、図３（Ａ）に示すように、発信元が第１電話番号である場合、タイマ１１Ｃにより春が計測されると画像Ａ１が表示され、夏が計測されると画像Ａ２が表示され、秋が計測されると画像Ａ３が表示され、冬が計測されると画像Ａ４が表示される。また、図３（Ｂ）に示すように、発信元が第２電話番号である場合、タイマ１１Ｃにより朝が計測されると画像Ｂ１が表示され、昼が計測されると画像Ｂ２が表示され、夕方が計測されると画像Ｂ３が表示される。
【００３０】
以上のように、本実施形態によれば、ＩＰ電話装置１０が着信する度に、タイミングと発信元の電話番号とに対応した情報が表示部１０Ｂに常に表示されるため、ＩＰ電話装置１０のユーザにとって発信者を特定できるとともに新鮮な気持ちで応答することができる。また、ＩＰ電話装置１０の表示部１０Ｂで表示される情報がタイミングや発信元の電話番号に応じて自動的に変化するため、ＩＰ電話装置１０のユーザにとって面白味があり、飽きがきてしまうことを防止できる。
【図面の簡単な説明】
【００３１】
【図１】本発明の第１実施形態に係る電話装置を含めた電話回線網を示すブロック図である。
【図２】本発明の第１実施形態に係る電話装置の制御方法を示すフローチャートである。
【図３】（Ａ）は第１電話番号から着信があったときに表示部に表示される各画像Ａ１、Ａ２、Ａ３、Ａ４であり、（Ｂ）は第２電話番号から着信があったときに表示部に表示される各画像Ｂ１、Ｂ２、Ｂ３である。
【符号の説明】
【００３２】
１        通信システム
１０      ＩＰ電話装置（電話装置）
１０Ｂ    表示部
１１      サーバ
１１Ａ    ＣＰＵ（制御部）
１１Ｂ    ＲＯＭ（記憶部）
１１Ｃ    タイマ（計測部）
【図１】
2006345424.tif 000003
【図２】
2006345424.tif 000004
【図３】
2006345424.tif 000005